(57)【特許請求の範囲】
【請求項１】
猫の胴回り方向に沿って配置される横方向と、
前記横方向と直交し、猫の腹側から背側を繋ぐ方向に延びる縦方向と、
表面シート、裏面シート、及び前記表面シートと前記裏面シートの間に配置された吸収コアを有する本体部と、
前記本体部に形成された尻尾穴と、を有する、猫用おむつであって、
前記尻尾穴は、猫の尻尾を挿通可能な穴本体部を有し、
前記穴本体部は、前記腹側又は前記背側に向かって凸状に膨らんでおり、
前記穴本体部の前記横方向の長さは、前記穴本体部の前記縦方向の長さに対する１．９０倍以上である、猫用おむつ。
【請求項２】
前記穴本体部は、頂点及び両方の基端縁を繋ぐ円弧の形状であり、
前記円弧の曲率半径は、一定範囲内であり、
前記一定範囲は、同一の値、又は最大値と最小値の誤差が前記穴本体部の前記横方向の長さに対する５％の範囲内の値である、請求項１に記載の猫用おむつ。
【請求項３】
前記穴本体部は、頂点及び両方の基端縁を繋ぐ円弧の形状であり、
前記穴本体部の基端縁を繋ぐ仮想線と、前記基端縁から前記頂点に向かう立ち上がり部の接線と、が成す角度は、８０度以下である、請求項１又は請求項２に記載の猫用おむつ。
【請求項４】
猫の胴回り方向に沿って配置される横方向と、
前記横方向と直交し、猫の腹側から背側を繋ぐ方向に延びる縦方向と、
表面シート、裏面シート、及び前記表面シートと前記裏面シートの間に配置された吸収コアを有する本体部と、
前記本体部に形成された尻尾穴と、を有する、猫用おむつであって、
前記尻尾穴は、猫の尻尾を挿通可能な穴本体部を有し、
前記穴本体部は、前記腹側又は前記背側に向かって凸状に膨らんでおり、
前記穴本体部は、頂点及び両方の基端縁を繋ぐ円弧の形状であり、
前記円弧の曲率半径は、一定範囲内であり、
前記一定範囲は、同一の値、又は最大値と最小値の誤差が前記穴本体部の前記横方向の長さに対する５％の範囲内の値であり、
前記穴本体部の前記基端縁を繋ぐ仮想線と、前記基端縁から前記頂点に向かう立ち上がり部の接線と、が成す角度は、８０度以下である、猫用おむつ。
【請求項５】
前記穴本体部は、前記背側に向かって凸状に膨らんでいる、請求項１から請求項４のいずれか１項に記載の猫用おむつ。
【請求項６】
前記穴本体部は、前記縦方向における外側に位置する外端縁と、前記縦方向における内側である前記吸収コア側に位置する内端縁と、を有し、
前記穴本体部の前記縦方向の寸法は、前記穴本体部の外端縁と前記吸収コアとの距離に対する５０％以上である、請求項１から請求項５のいずれか１項に記載の猫用おむつ。
【請求項７】
前記穴本体部の前記縦方向の中心は、前記穴本体部の前記横方向の中心と前記穴本体部の前記横方向の外側縁との中間点よりも前記横方向の外側に位置する、請求項１から請求項６のいずれか１項に記載の猫用おむつ。
【請求項８】
前記尻尾穴は、前記表面シート及び前記裏面シートが切断された部分であって、
前記表面シート及び前記裏面シートの少なくとも一方のシートの前記縦方向に沿う引張強度は、前記一方のシートの前記横方向に沿う引張強度よりも高い、請求項１から請求項７のいずれか１項に記載の猫用おむつ。
【発明の詳細な説明】
【技術分野】
【０００１】
本発明は、猫に装着される猫用おむつに関する。
【背景技術】
【０００２】
特許文献１には、犬や猫などのペットに装着されるペット用おむつが開示されている。特許文献１のペット用おむつは、ペットの尻尾を通すための尻尾穴を有している。特許文献１のおむつの尻尾穴の近傍には、尻尾穴を閉じるようにおむつ本体を収縮させる弾性部材が設けられている。弾性部材の収縮によって尻尾穴が閉じるように変形するため、尻尾穴の開口が尻尾にフィットし易い。
【先行技術文献】
【特許文献】
【０００３】
【特許文献１】特開２０１３−９６５７号公報
【発明の概要】
【０００４】
特許文献１のペット用おむつは、犬に対しても装着でき、猫に対しても装着できるように構成されている。しかし、出願人が鋭意調査した結果、猫における排尿口と尻尾との距離は、犬における排尿口と尻尾との距離よりも短いことが多いことがわかった。そのため、犬の体型に合わせたおむつを猫が着用すると、尻尾の位置と尻尾穴の位置が縦方向においてずれて装着され、尻尾穴が縦方向に広がりすぎることがある。その結果、犬用に設計されたペット用おむつにあっては、猫が着用している過程でずれ、漏れが発生することがあった。特に、雄の猫は、その習性として尿をスプレー状に放射することがある。おむつがずれた状態で猫が尿を放射すると、周囲に尿が飛び散るため、着用時にずれ難い猫用おむつが求められている。
【０００５】
本発明は、上記問題に鑑みてなされたものであり、着用時にずれ難い猫用おむつを提供することを目的とする。
【課題を解決するための手段】
【０００６】
一態様に係る猫用おむつは、猫の胴回り方向に沿って配置される横方向と、前記横方向と直交し、猫の腹側から背側を繋ぐ方向に延びる縦方向と、表面シート、裏面シート、及び前記表面シートと前記裏面シートの間に配置された吸収コアを有する本体部と、前記本体部に形成された尻尾穴と、を有する。前記尻尾穴は、猫の尻尾を挿通可能な穴本体部を有する。前記穴本体部は、前記腹側又は前記背側に向かって凸状に膨らんでいる。前記穴本体部の前記横方向の長さは、前記穴本体部の前記縦方向の長さに対する１．９０倍以上である。
【０００７】
他態様に係る猫用おむつは、猫の胴回り方向に沿って配置される横方向と、前記横方向と直交し、猫の腹側から背側を繋ぐ方向に延びる縦方向と、表面シート、裏面シート、及び前記表面シートと前記裏面シートの間に配置された吸収コアを有する本体部と、前記本体部に形成された尻尾穴と、を有する。前記尻尾穴は、猫の尻尾を挿通可能な穴本体部を有する。前記穴本体部は、前記腹側又は前記背側に向かって凸状に膨らんでいる。前記穴本体部は、頂点及び両方の基端縁を繋ぐ円弧形状である。前記円弧の曲率半径は、一定範囲内である。前記一定範囲は、同一の値、又は最大値と最小値の誤差が前記穴本体部の前記横方向の長さに対する５％の範囲内の値である。前記穴本体部の基端縁を繋ぐ仮想線と、前記基端縁から前記頂点に向かう立ち上がり部の接線と、が成す角度は、８０度以下である。
【図面の簡単な説明】
【０００８】
【図１】実施形態に係る猫用おむつの肌面側から見た平面図である。
【図２】図１に示すＡ−Ａ線に沿った猫用おむつの模式的断面図である。
【図３】実施形態に係る猫用おむつの着用状態を模式的に示した図である。
【図４】猫及び犬の身体の形状を模式的に示した図である。
【図５】実施形態に係る尻尾穴の拡大平面図である。
【図６】変形例に係る尻尾穴の拡大平面図である。
【図７】穴本体部の比率の比較評価結果を示した図である。
【図８】穴本体部の角度の比較評価結果を示した図である。
【０００９】
（１）実施形態の概要
本明細書及び添付図面の記載により、少なくとも以下の事項が明らかとなる。
一態様に係る猫用おむつは、猫の胴回り方向に沿って配置される横方向と、前記横方向と直交し、猫の腹側から背側を繋ぐ方向に延びる縦方向と、表面シート、裏面シート、及び前記表面シートと前記裏面シートの間に配置された吸収コアを有する本体部と、前記本体部に形成された尻尾穴と、を有する。前記尻尾穴は、猫の尻尾を挿通可能な穴本体部を有する。前記穴本体部は、前記腹側又は前記背側に向かって凸状に膨らんでいる。前記穴本体部の前記横方向の長さは、前記穴本体部の前記縦方向の長さに対する１．９０倍以上である。本態様によれば、穴本体部の横方向の長さが穴本体部の前記縦方向の長さに対する１．９０倍以上であり、穴本体部が横方向に長い形状であるため、穴本体部による尻尾穴の開口が横方向に長くなり、おむつが縦方向にずれ難くなる。また、穴本体部が横方向に長いため、穴本体部が縦方向に引っ張られても、穴本体部が縦方向に広がり難い。よって、穴本体部が縦方向に広がることに起因して、おむつが縦方向にずれることを抑制できる。
【００１０】
好ましい一態様によれば、前記穴本体部は、頂点及び両方の基端縁を繋ぐ円弧形状であり、前記円弧の曲率半径は、一定範囲内であり、前記一定範囲は、同一の値、又は最大値と最小値の誤差が前記穴本体部の前記横方向の長さに対する５％の範囲内の値であってよい。本態様によれば、円弧の曲率半径が一定範囲内であるため、変曲点を介して穴本体部が変形することを抑制できる。よって、猫が上下方向に尻尾を動かした場合であっても、おむつが縦方向にずれ難くなる。
【００１１】
好ましい一態様によれば、前記穴本体部は、頂点及び両方の基端縁を繋ぐ円弧の形状であり、前記穴本体部の基端縁を繋ぐ仮想線と、前記基端縁から前記頂点に向かう立ち上がり部の接線と、が成す角度は、８０度以下であってよい。穴本体部の基端縁からの立ち上がり角度が比較的大きいと、立ち上がり角度が小さい構成と比較して、尻尾穴の開口面積が大きくなり、尻尾穴内における尻尾の位置がずれ易く、猫に対するおむつの位置がずれ易くなる。しかし、穴本体部の基端縁からの立ち上がり角度が比較的小さいため、尻尾穴内における尻尾の位置がずれ難くなり、猫に対するおむつの位置ずれを抑制できる。
【００１２】
他態様に係る猫用おむつは、猫の胴回り方向に沿って配置される横方向と、前記横方向と直交し、猫の腹側から背側を繋ぐ方向に延びる縦方向と、表面シート、裏面シート、及び前記表面シートと前記裏面シートの間に配置された吸収コアを有する本体部と、前記本体部に形成された尻尾穴と、を有する。前記尻尾穴は、猫の尻尾を挿通可能な穴本体部を有する。前記穴本体部は、前記腹側又は前記背側に向かって凸状に膨らんでいる。前記穴本体部は、頂点及び両方の基端縁を繋ぐ円弧形状である。前記円弧の曲率半径は、一定範囲内である。前記一定範囲は、同一の値、又は最大値と最小値の誤差が前記穴本体部の前記横方向の長さに対する５％の範囲内の値である。前記穴本体部の基端縁を繋ぐ仮想線と、前記基端縁から前記頂点に向かう立ち上がり部の接線と、が成す角度は、８０度以下である。他の態様によっても、穴本体部が縦方向に広がることに起因して、おむつが縦方向にずれることを抑制できる。
【００１３】
好ましい一態様によれば、穴本体部は、前記背側に向かって凸状に膨らんでよい。猫が四つん這いの状態で尻尾の重力が穴本体部の頂点側にかかり難く、穴本体部の頂点側に力が集中することに起因して尻尾穴が広がる不具合を抑制できる。
【００１４】
好ましい一態様によれば、前記穴本体部は、前記縦方向における外側に位置する外端縁と、前記縦方向における内側である前記吸収コア側に位置する内端縁と、を有し、前記穴本体部の前記縦方向の寸法は、前記穴本体部の外端縁と前記吸収コアとの距離に対する５０％以上であってよい。雄の猫は、その習性として尿をスプレー状に放射することがある。そのため、使用者は、犬におむつを装着する態様と比較して、猫におむつを装着する場合には、身体に対しておむつを密着させるように装着することがある。このとき、穴本体部の外端縁と吸収コアとの間の領域のうち５０％以上の領域は、穴本体部が配置されている。穴本体部が占める割合が比較的高いため、おむつを密着させるように装着しても、尻尾の可動域を確保でき、おむつ全体の位置ずれを抑制できる。
【００１５】
好ましい一態様によれば、前記穴本体部の前記縦方向の中心 は、前記穴本体部の前記横方向の中心と前記穴本体部の前記横方向の外側縁との中間点 よりも前記横方向の外側に位置してよい。穴本体部の縦方向の中心が中間点よりも横方向の内側に位置する構成と比較して、穴本体部の縦方向の中心が横方向の外側に偏倚しているため、穴本体部の外形が横長の形状を維持しつつ穴本体部の面積を確保できる。よって、穴本体部の変形を抑制できる。
【００１６】
好ましい一態様によれば、前記尻尾穴は、前記表面シート及び前記裏面シートが切断された部分であって、前記表面シート及び前記裏面シートの少なくとも一方のシートの前記縦方向に沿う引張強度は、前記一方のシートの前記横方向に沿う引張強度よりも高くてよい。本態様によれば、縦方向に沿う引張強度が高いため、尻尾穴の開口が縦方向に広がり難い。よって、尻尾穴の開口が縦方向に広がることに起因して、おむつが縦方向にずれることを抑制できる。
【００１７】
（２）猫用おむつの構成
以下、図面を参照して、実施形態に係る猫用おむつについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００１８】
図１は、実施形態に係る猫用おむつの表面側Ｔ１からから見た平面図である。図２は、図１に示すＡ−Ａ線に沿った猫用おむつの模式的断面図である。図１及び図２では、猫用おむつ１を皺が形成されない状態まで伸長させた伸長状態を示している。また、図２に示す断面図では、説明の便宜上、各部材を厚み方向Ｔにおいて離間して示しているが、実際の製品においては厚み方向Ｔに接している。図３は、猫用おむつの着用状態を模式的に示した図である。
【００１９】
猫用おむつ１は、猫の胴回り方向に沿って配置される横方向Ｗと、横方向Ｗと直交する縦方向Ｚと、横方向Ｗ及び縦方向Ｚと直交する厚み方向Ｔと、を有する。縦方向Ｚは、猫の腹側から背側を繋ぐ方向に延びる。厚み方向Ｔは、着用状態において猫に当てられる表面側Ｔ１と、着用状態において外側に向けられる裏面側Ｔ２と、に延びる。図３に示すように、実施形態に係る猫用おむつは、猫の腹側から股下を通って背側まで覆うように装着される。
【００２０】
猫用おむつ１は、本体部２と、ファスニングテープ９０と、を有してよい。本体部２は、横方向Ｗの一端部である本体第１端部６１と、横方向Ｗの他端部である本体第２端部６２と、縦方向Ｚの一端部である本体第３端部６３と、縦方向Ｚの他端部である本体第４端部６４と、を有してよい。本体第１端部６１は及び本体第２端部６２には、ファスニングテープ９０が接合されている。本体第３端部６３は、着用状態において猫の腹側に配置される。本体第４端部６４は、本体第３端部６３と対向しており、着用状態において猫の背側に配置される。また、本発明における端部は、端縁を含む一定の範囲を占める部分である。本体第１端部６１は、本体部２の横方向Ｗの一端縁である第１端縁６１Ｅから横方向Ｗの内側に延びる部分である。同様に、本体第２端部６２は、本体部２の横方向Ｗの他端縁である第２端縁６２Ｅから横方向Ｗの内側に延びる部分である。本体第１端部６１及び本体第２端部６２は、本体部２の横方向Ｗの端縁と吸収コア３０の横方向Ｗの端縁との間の領域であってよい。また、本体第３端部６３は、本体部２の縦方向Ｚの一端縁である第３端縁６３Ｅから縦方向Ｚの内側に延びる部分である。同様に、本体第４端部６４は、本体部２の縦方向Ｚの他端縁である第４端縁６４Ｅから縦方向Ｚの内側に延びる部分である。本体第３端部６３及び本体第４端部６４は、本体部２の縦方向Ｚの端縁と吸収コア３０の縦方向Ｚの端縁との間の領域であってよい。また、本体第４端部６４は、本体部２の縦方向Ｚの端縁と吸収コア３０の縦方向Ｚの端縁との間の領域であってよいし、本体部２の縦方向Ｚの端縁と後述する尻尾穴７０との間の領域であってもよい。
【００２１】
本体部２は、表面シート１０、裏面シート２０、及び吸収コア３０を少なくとも有する。表面シート１０は、本体部２において猫に当てられる内面２Ｐに配置されている。表面シート１０は、体液を吸収コア３０側に透過させる液透過性を有する。表面シート１０は、縦方向Ｚの中央に位置し、吸収コア３０を覆うセンターシート１１と、センターシート１１の横方向Ｗの両側部を覆うサイドシート１２と、を有してよい。図２に示すように、サイドシート１２は、折り畳まれていてよい。具体的には、サイドシート１２の横方向Ｗの内側縁において裏面側Ｔ２に折り返されている。折り返されたサイドシート１２間に、縦方向Ｚに伸長された状態のサイド伸縮性部材１３が配置されてよい。サイド伸縮性部材１３は、猫側に起立する防漏ギャザーを構成してよい。
【００２２】
吸収コア３０は、表面シート１０と裏面シート２０の間に配置されている。吸収コア３０は、パルプ等の吸収材料が積層されている。図２に示すように、吸収コア３０を覆うコアラップ３２が設けられていてよい。吸収コア３０は、横方向Ｗにおいて本体部２の両端縁よりも内側に配置されている。すなわち、吸収コア３０の横方向Ｗの長さは、本体部２の横方向Ｗの長さよりも短い。吸収コア３０は、本体部２の横方向Ｗの中央に配置され、本体部２の横方向Ｗの外側部には設けられていない。また、吸収コア３０は、縦方向Ｚにおいて本体部２の両端縁よりも内側に配置されてよい。すなわち、吸収コア３０の縦方向Ｚの長さは、本体部２の縦方向Ｚの長さよりも短くてよい。吸収コア３０は、本体部２の縦方向Ｚの中央に配置され、本体部２の縦方向Ｚの外側部には設けられていなくてよい。吸収コア３０は、後述する尻尾穴７０と縦方向Ｚに離間し、尻尾穴７０よりも腹側に位置してよい。
【００２３】
裏面シート２０は、本体部２において着用時に外側に位置する外面２Ｑに配置されている。裏面シート２０は、液不透過性の裏面フィルム２１と、裏面フィルム２１よりも裏面側に位置する裏面不織布２２と、を有してよい。なお、変形例において、裏面シートは、液不透過性の裏面フィルムと、裏面フィルム２１よりも内面側に位置する裏面不織布と、を有してよい。裏面フィルム２１の横方向Ｗの長さは、裏面不織布２２の横方向Ｗの長さよりも短くてよい。すなわち、裏面不織布２２は、裏面フィルム２１よりも横方向Ｗの両側に延出してよい。
【００２４】
ファスニングテープ９０は、本体部２の縦方向Ｚの一端部である本体第３端部６３において、本体部２よりも横方向Ｗの両外側に延出している。より詳細には、ファスニングテープ９０は、本体第３端部６３において、本体部２の第１端縁６１Ｅ及び第２端縁６２Ｅよりも横方向Ｗの外側に延出している。ファスニングテープ９０は、本体部２に接合された基材シート９１と、基材シート９１上に設けれ、本体部２の外面２Ｑに接合可能な接合部９２と、を有してよい。接合部９２は、ファスニングテープ９０の表面側Ｔ１の面に配置されている。接合部９２は、メカニカルファスナであってよく、本体部２の外面２Ｑに設けられたターゲット部４５に接合可能に構成されている。なお、変形例において、本体部２は、ターゲット部４５を備えず、接合部９２は、本体部２の外面２Ｑ側の裏面シート２０に接合するように構成されてよい。変形例において、接合部は、本体第４端部６４において、本体部２よりも横方向Ｗの両外側に延出してもよい。
【００２５】
猫用おむつ１は、尻尾穴７０が設けられてよい。尻尾穴７０は、猫の尻尾を挿通可能な穴本体部７１を有してよい。尻尾穴７０を有するおむつにあっては、本体第４端部６４によって猫の臀部及び背中を覆う際に、尻尾穴７０の穴本体部７１に猫の尻尾を挿通させてよい。穴本体部７１は、半円形の切り込みであってよい。穴本体部７１は、連続した切れ込みであってもよいし、ミシン目等、表面シート１０及び裏面シート２０を引き裂き可能な構成であってもよい。尻尾穴７０は、穴本体部７１の寸法を拡大するための切り込み部７２を有してもよい。切り込み部７２は、ミシン目等、表面シート１０及び裏面シート２０を引き裂き可能な構成であってよく、猫の種類及び成長過程に応じて穴本体部７１の寸法を調整できる。本実施の形態の切り込み部７２は、尻尾穴７０の横方向Ｗの中心に対する左右それぞれに２個ずつ設けられている。変形例において、切り込み部７２は、尻尾穴７０の横方向Ｗの中心に対する左右それぞれに１個ずつ設けられていてもよいし、２個以上ずつ設けられていて複数段階で尻尾穴７０の寸法を調整できるように構成されてよい。穴本体部７１及び切り込み部７２は、表面シート１０及び裏面シート２０が切断された部分であってよい。尻尾穴７０については、後述にて詳細に説明する。
【００２６】
猫用おむつ１を猫に装着する際は、本体第３端部６３（接合部９２が設けられた側の端部）を猫の腹に当てる。このとき、本体第４端部６４を猫の両足の間を通し、かつ猫の後側に出しておく。そして、本体部２の縦方向Ｚの中央を猫の排尿口に当てつつ、猫の尻尾を、尻尾穴７０を通しておむつの裏面側Ｔ２に出しておく。本体第４端部６４によって猫の臀部及び背中を覆う。次いで、接合部９２を猫の背中側に引っ張り、背中側に位置する本体第４端部６４のターゲット部４５に外面に接合部９２を止める。これにより、図３に示すように、猫の腹、背中、及び股下を覆うように猫用おむつ１を装着できる。すなわち、猫用おむつ１は、猫の腹側から股下を通って背側まで覆うように装着される。
【００２７】
次いで、図４〜図６に基づいて、尻尾穴７０について詳細に説明する。図４は、猫及び犬の身体の形状を模式的に示した図である。図４（ａ）は、猫の身体の形状を示しており、（ｂ）は、犬の身体の形状を示している。図５は、実施形態に係る尻尾穴７０を示しており、図６は、変形例に係る尻尾穴７０Ｘを示している。実施形態に係る尻尾穴７０と変形例に係る尻尾穴７０Ｘは、いずれも穴本体部７１と切り込み部７２を有しており、それぞれの形状及び位置が異なっている。しかし、実施形態に係る尻尾穴７０と変形例に係る尻尾穴７０Ｘは、近似しており、同様の構成については、同符号を用いて説明を省略する。実施形態に係る尻尾穴７０は、比較的小さい猫に着用される猫用おむつの尻尾穴であり、変形例に係る尻尾穴７０Ｘは、比較的大きい猫に着用される猫用おむつの尻尾穴７０Ｘであってよい。
【００２８】
まず、穴本体部７１について詳細に説明する。本実施の形態の穴本体部７１は、縦方向Ｚにずれ難く構成されている。出願人が鋭意研究した結果、犬は、比較的左右方向に尻尾を動かすことが多く、猫は、比較的上下方向に尻尾を動かすことが多いことがわかった。加えて、出願人が鋭意調査した結果、猫と犬で普段の身体の動かし方が大きく異なることがわかった。より詳細には、犬は、地面を走る等、平面方向の動きが多く、猫は、犬と比較して、ジャンプしたり飛び降りたりする等の垂直方向の動きが多いことがわかった。垂直方向に身体を動かそうとすると、後足を曲げた状態から一気に伸ばしたり、脚の曲げ伸ばしとともに腹を凹ませた状態及び背中を丸めた状態から延ばしたりして、腹部、臀部及び足回りの皮膚の縦方向Ｚの伸び縮み量が大きくなり易い。そのため、猫がおむつを着用した状態では、尻尾穴７０が縦方向Ｚに引っ張られ、おむつが縦方向Ｚにずれやすいことがわかった。
【００２９】
出願人は、穴本体部７１の縦方向Ｚと横方向Ｗの比率を異ならせた穴本体部を形成し、穴本体部の比率と縦方向のずれとの関係性について調べた。比較評価は、実施例１から実施例６に係る穴本体部を有する猫用おむつと、比較例１から比較例８に係る穴本体部を有する猫用おむつと、を用いて、各猫用おむつを猫に装着して、穴本体部と猫の身体の位置関係、及び着用状態における縦方向のずれを確認した。装着した時点で穴本体部を介して排尿部が露出している場合、着用状態において縦方向にずれた結果、穴本体部を介して排尿部が露出した場合は、「×」として評価し、装着した時点で穴本体部を介して排尿部が露出してなく、かつ着用状態において縦方向にずれた結果、穴本体部を介して排尿部が露出していない場合には、「○」として評価した。また、装着した時点で穴本体部を介して排尿部が露出してなく、かつ着用状態において縦方向にずれた結果、穴本体部を介して排尿部が露出していなく、更に穴本体部に尻尾を挿入しやすい場合には、「◎」として評価した。なお、各猫用おむつは、穴本体部以外の構成は同様であり、切り込み部によって開口していない状態である。評価結果を図７に示す。
【００３０】
図７の評価結果に示すように、穴本体部７１の横方向Ｗの長さＷ７１は、穴本体部７１の縦方向Ｚの長さＺ７１よりも長く、穴本体部７１の縦方向Ｚの長さＺ７１に対する１．９０倍以上、好ましくは、３．５倍以上であってよい。猫におむつを着用した状態では、穴本体部７１の頂点に尻尾が引っかかり、縦方向Ｚの移動が規制される。このとき、穴本体部７１の縦方向Ｚの長さＺ７１が比較的長いと、尻尾穴の開口の縦方向Ｚの長さが長くなり、おむつが縦方向Ｚにずれて排尿口が露出するおそれがある。このとき、穴本体部７１の横方向Ｗの長さＷ７１が穴本体部７１の縦方向Ｚの長さＺ７１に対する１．９０倍以上であり、穴本体部７１が横方向Ｗに長い形状であるため、穴本体部７１による尻尾穴の開口が横方向Ｗに長くなり、おむつが縦方向Ｚにずれ難くなる。実施形態の穴本体部７１の横方向Ｗの長さＷ７１は、２８．３ｍｍであり、穴本体部７１の縦方向Ｚの長さＺ７１は、８ｍｍであり、穴本体部７１の縦方向Ｚの長さＺ７１に対する穴本体部７１の横方向Ｗの長さＷ７１の比率は、３．５３である。変形例に係る穴本体部７１の横方向Ｗの長さＷ７１は、３６．７ｍｍであり、穴本体部７１の縦方向Ｚの長さＺ７１は、８ｍｍであり、穴本体部７１の縦方向Ｚの長さＺ７１に対する穴本体部７１の横方向Ｗの長さＷ７１の比率は、４．５８である。穴本体部７１の横方向Ｗの長さＷ７１は、おむつの横方向のずれを抑制するために、穴本体部７１の縦方向Ｚの長さＺ７１に対する６．３倍以下であってよく、好適には、５．０倍以下であってよい。また、穴本体部７１の縦方向Ｚの長さＺ７１は、猫用おむつの縦方向Ｚのずれを抑制しつつ尻尾を収納するために、５．５ｍｍ以上１０．０ｍｍ以下であってもよく、好適には、５．５ｍｍ以上８．０ｍｍ以下であってよい。また、穴本体部７１の横方向Ｗの長さＷ７１は、おむつの横方向Ｗのずれを抑制しつつ尻尾を収納するために、１０．０ｍｍ以上３６．７ｍｍ以下であってもよく、好適には、２８．３ｍｍ以上３６．７ｍｍ以下であってよい。
【００３１】
また、図４に示すように、一般的に、猫における尿の排尿口１０１と尻尾１０２の距離は、犬における尿の排尿口２０１と尻尾２０２の距離よりも短いことが多い。より詳細には、犬においては、雌の排尿口２０１Ｆは、尻尾２０２に近いが、雄の排尿口２０１Ｍは、雌よりも尻尾２０２から離れている。猫の場合には、雄の排尿口も雌の排尿口も縦方向Ｚの位置が大きくずれてなく、いずれも尻尾１０２に近い位置である。穴本体部７１が横方向Ｗに長いため、穴本体部７１が縦方向Ｚに引っ張られても、穴本体部７１により開口が縦方向Ｚに広がり難い。よって、穴本体部７１による開口が縦方向Ｚに広がることに起因しておむつが縦方向Ｚにずれることを抑制できる。
【００３２】
穴本体部７１は、頂点７１１及び両方の基端縁７１２を繋ぐ円弧の形状であってよい。円弧の曲率半径は、一定範囲内であってよい。ここで、一定範囲の曲率半径とは、同一の値、又は最大値と最小値の誤差が穴本体部７１の横方向Ｗの長さＷ７１に対する５％の範囲内の値である。実施形態の穴本体部７１の曲率半径は、１６．６ｍｍであり、変形例の穴本体部７１の曲率半径は、２５．０ｍｍである。猫がおむつを着用した状態で、穴本体部７１の頂点７１１に尻尾が引っかかり、縦方向Ｚの移動が規制される。このとき、穴本体部７１の円弧の曲率半径が変化していると、当該変化する変曲点に力が集中し、変曲点を介して穴本体部７１が変形し、おむつがずれて排尿口が露出するおそれがある。上述のように、犬は、比較的左右方向に尻尾を動かすことが多く、猫は、比較して上下方向に尻尾を動かすことが多い。加えて、猫は、犬と比較して排尿口１０１と尻尾１０２の距離が短い。そのため、猫がおむつを着用した状態では、尻尾穴が縦方向Ｚに引っ張られ、おむつが縦方向Ｚにずれやすい。本構成によれば、円弧の曲率半径が一定範囲内であるため、変曲点を介して穴本体部７１が変形することを抑制し、尻尾穴７０が縦方向Ｚに引っ張られても、尻尾穴７０の開口が縦方向Ｚに広がり難い。よって、尻尾穴７０の開口が縦方向Ｚに広がることに起因しておむつが縦方向Ｚにずれることを抑制できる。
【００３３】
出願人は、穴本体部７１の基端縁７１２を繋ぐ仮想線Ｌ１１と、基端縁７１２から頂点７１１に向かう立ち上がり部７１３の接線Ｌ１２と、が成す角度を異ならせた穴本体部を形成し、穴本体部の角度と穴本体部の変形との関係性について調べた。比較評価は、実施例７から実施例１３に係る穴本体部を有する猫用おむつと、比較例９から比較例１５に係る尻尾穴部を有する猫用おむつと、を用いて、各猫用おむつを猫に装着して、装着後３０分経過後の穴本体部の変形状態を確認した。装着後３０分経過後に縦方向に延びる変形をしている場合には、「×」として評価し、装着後３０分経過後に縦方向に延びる変形をしていないが、装着時に尻尾を挿入し難い場合には、「〇」として評価し、装着後３０分経過後に縦方向に延びる変形をしていなく、装着時に尻尾穴を挿入し易い場合には、「◎」として評価した。評価結果を図８に示す。
【００３４】
図８の評価結果に示すように、穴本体部７１の基端縁７１２を繋ぐ仮想線Ｌ１１と、基端縁７１２から頂点７１１に向かう立ち上がり部７１３の接線Ｌ１２と、が成す角度は、８０度以下であってよい。立ち上がり部７１３は、基端縁７１２を含み、基端縁７１２から頂点７１１側に向かう部分である。例えば、基端縁７１２から５ｍｍの範囲を抽出し、その５ｍｍの円弧部分の端部同士（基端縁と基端縁から５ｍｍ離れた位置）を繋ぐ線を接線Ｌ１２としてもよい。穴本体部７１の基端縁７１２からの立ち上がり角度が比較的大きいと、立ち上がり角度が小さい構成と比較して、穴本体部７１の開口面積が大きくなり、尻尾穴内における尻尾の位置がずれ易く、おむつの位置がずれ易くなる。しかし、穴本体部７１の基端縁７１２からの立ち上がり角度が比較的小さいため、尻尾穴内における尻尾の位置がずれ難くなり、猫に対するおむつの位置ずれを抑制できる。また、角度は、尻尾を円滑に挿入するために、３５度以上であってよい。
【００３５】
穴本体部７１は、背側に向かって凸状に膨らんでよい。図４に示すような、猫が四つん這いの状態は、尻尾の重力は、穴本体部７１の腹側の端縁に係る。穴本体部７１の腹側の端縁に一対の基端縁７１２が配置されており、基端縁７１２を繋いだ仮想線Ｌ１１に沿って本体部２がめくれ、仮想線Ｌ１１全体に尻尾の重力がかかる。そのため、穴本体部７１の腹側の端縁に穴本体部７１の頂点７１１が配置された構成と比較して、尻尾の重力が局所的に集中することを抑制し、穴本体部７１の変形を抑制できる。よって、穴本体部７１の頂点側に力が集中することに起因して尻尾穴７０が広がる不具合を抑制できる。
【００３６】
穴本体部７１は、縦方向Ｚにおける外側に位置する外端縁と、縦方向Ｚにおける内側である吸収コア側に位置する内端縁と、を有している。外端縁は、背側の端縁であってよく、本実施の形態は、頂点７１１である。内端縁は、腹側の端縁であってよく、本実施の形態は、基端縁７１２及び仮想線Ｌ１１である。穴本体部７１の縦方向Ｚの寸法は、穴本体部７１の外端縁である頂点７１１と吸収コア３０との距離Ｇ１１（図１参照）に対する５０％以上であってよい。換言すると、穴本体部７１の内端縁である基端縁７１２と吸収コア３０との距離Ｇ１２（図１参照）は、距離Ｇ１１に対する５０％未満であってよい。雄の猫は、その習性として尿をスプレー状に放射することがある。そのため、使用者は、犬におむつを装着する態様と比較して、猫におむつを装着する場合には、身体に対しておむつを密着させるように装着することがある。このとき、穴本体部７１の外端縁と吸収コア３０との間の領域のうち５０％以上の領域は、穴本体部７１が配置されている。穴本体部７１が占める割合が比較的高いため、おむつを密着させるように装着しても、尻尾の可動域を確保でき、おむつ全体の位置ずれを抑制できる。
【００３７】
穴本体部７１の縦方向Ｚの中心ＣＺ７１は、穴本体部７１の横方向Ｗの中心ＣＷ７１と穴本体部７１の横方向Ｗの外側縁ＥＷ７１との中間点ＣＥＷ７１よりも横方向Ｗの外側に位置してよい。本実施形態において、穴本体部７１の横方向Ｗの中心ＣＷ７１は、頂点７１１であり、穴本体部７１の横方向Ｗの外側縁ＥＷ７１は、基端縁７１２である。円弧状の穴本体部７１では、頂点７１１が配置された穴本体部７１の横方向Ｗの中心ＣＷ７１における縦方向Ｚの長さが長く、穴本体部７１の横方向Ｗの中心ＣＷ７１から横方向Ｗの外側に向かうにつれて縦方向Ｚの長さが短くなる。本態様によれば、穴本体部７１の縦方向Ｚの中心ＣＺ７１が中間点ＣＥＷ７１よりも横方向Ｗの内側に位置する構成と比較して、穴本体部７１の縦方向Ｚの中心が横方向Ｗの外側に偏倚しているため、穴本体部７１の外形が横長の形状を維持しつつ穴本体部７１の面積を確保できる。よって、穴本体部７１の変形を抑制できる。また、穴本体部７１の縦方向Ｚの中心ＣＺ７１が中間点ＣＥＷ７１よりも横方向Ｗの内側に位置する場合には、穴本体部７１において縦方向Ｚの長さを確保する領域が中間点ＣＥＷ７１側において局所的に設けられ、力が集中し、縦方向Ｚの変形が生じるおそれがある。しかし、穴本体部７１において縦方向Ｚの長さを確保する領域を中間点ＣＥＷ７１よりも横方向Ｗの外側に配置でき、穴本体部７１全体において尻尾の動き等によって生じる力を受けることができ、穴本体部７１の変形を抑制できる。
【００３８】
次いで、切り込み部７２について詳細に説明する。切り込み部７２は、使用前の状態において、穴本体部７１と離間している。穴本体部７１と切り込み部７２の間の領域の本体部２を切断することにより、穴本体部７１の寸法を大きくすることができる。切り込み部７２は、一対の横切り込み部７２１と、一対の縦切り込み部７２２と、を有してよい。切り込み部７２によって尻尾穴の寸法を拡大した状態においても、おむつの横方向のずれを抑制するように構成されていることが好ましい。尻尾穴（穴本体部７１＋切り込み部７２）の横方向Ｗの長さＷ７０は、尻尾穴７０の縦方向Ｚの長さＺ７０よりも長く、尻尾穴７０の縦方向Ｚの長さＺ７０に対する１．９０倍以上、好ましくは、３．５倍以上であってよい。実施形態の尻尾穴７０の横方向Ｗの長さＷ７０は、３８．６ｍｍであり、尻尾穴７０の縦方向Ｚの長さＺ７０は、１４．７ｍｍであり、尻尾穴７０の縦方向Ｚの長さＺ７０に対する尻尾穴７０の横方向Ｗの長さＷ７０の比率は、２．６２５である。変形例に係る尻尾穴７０Ｘの横方向Ｗの長さＷ７０は、４６．９ｍｍであり、尻尾穴７０Ｘの縦方向Ｚの長さＺ７０は、１４．７ｍｍであり、尻尾穴７０Ｘの縦方向Ｚの長さＺ７０に対する尻尾穴７０の横方向Ｗの長さＷ７０の比率は、３．１９である。尻尾穴７０の横方向Ｗの長さＷ７０は、おむつの横方向のずれを抑制するために、尻尾穴７０の縦方向Ｚの長さＺ７０に対する６．３倍以下であってよく、好適には、５．０倍であってよい。また、尻尾穴７０の縦方向Ｚの長さＺ７０は、５．５ｍｍ以上１５．０ｍｍ以下であってもよい。また、尻尾穴７０の横方向Ｗの長さＷ７０は、おむつの横方向Ｗのずれを抑制しつつ尻尾を収納するために、１０．０ｍｍ以上４６．９ｍｍ以下であってもよい。
【００３９】
切り込み部７２は、穴本体部７１から横方向Ｗの外側に延びる横側領域Ｒ１１に設けられた横切り込み部７２１を有してよい。横側領域Ｒ１１は、穴本体部７１よりも横方向Ｗの外側に位置しており、横側領域Ｒ１１の縦方向Ｚの位置は、穴本体部７１の縦方向Ｚの位置と一致する。図６において、横側領域Ｒ１１に斜線を付して示す。横切り込み部７２１が横側領域Ｒ１１設けられているため、横切り込み部７２１によって尻尾穴７０の寸法を横方向Ｗに拡大できる。従来のように、尻尾穴７０の寸法を縦方向Ｚのみに拡大する構成においては、尻尾穴７０を大きくしようとすると、尻尾穴７０が必然的に縦長の形状となり、着用時に縦方向Ｚにずれ易かった。上述のように、犬は、比較的左右方向に尻尾を動かすことが多く、猫は、比較して上下方向に尻尾を動かすことが多い。そのため、猫がおむつを着用した状態では、尻尾穴が縦方向に引っ張られ、おむつが縦方向にずれやすい。そのため、尻尾穴の寸法が縦方向に大きくなると、おむつが縦方向にずれて排尿口が露出するおそれがある。しかし、横切り込み部７２１によって尻尾穴７０の寸法を横方向Ｗに拡大できるため、尻尾穴７０が縦方向Ｚに引っ張られても、尻尾穴７０の開口が横方向Ｗに広がり、かつ縦方向Ｚに広がり難い。よって、尻尾穴７０の開口が縦方向Ｚに広がることに起因しておむつが縦方向Ｚにずれることを抑制できる。また、横切り込み部７２１によって尻尾穴７０の寸法が横方向Ｗに拡大することにより、尻尾穴７０の開口を大きくでき、尻尾穴７０を尻尾に装着する際の装着性を向上できる。
【００４０】
横切り込み部７２１は、横側領域Ｒ１１のみに設けられてよい。すなわち、横切り込み部７２１は、横側領域Ｒ１１より縦方向Ｚの外側に延出してなくてよい。横切り込み部７２１が横側領域Ｒ１１のみに設けられているため、穴本体部７１の縦方向Ｚの寸法を超えて横切り込み部７２１が形成されない。そのため、横切り込み部７２１に起因して尻尾穴７０の寸法が縦方向Ｚに拡大することを抑制できる。横切り込み部７２１は、穴本体部７１の外側縁ＥＷ７１と離間し、穴本体部７１の外側縁ＥＷ７１よりも横方向Ｗの外側に位置してよい。
【００４１】
切り込み部７２は、穴本体部７１から縦方向Ｚに延びる縦側領域Ｒ１２に設けられた縦切り込み部７２２を有してよい。縦側領域Ｒ１２は、穴本体部７１よりも縦方向Ｚの外側に位置しており、縦側領域Ｒ１２の横方向Ｗの位置は、穴本体部７１の横方向Ｗの位置と一致する。図６において、縦側領域Ｒ１２に斜線を付して示す。縦切り込み部７２２によって尻尾穴の寸法を縦方向Ｚに拡大できる。横切り込み部７２１と縦切り込み部７２２を備えることにより、使用者が適宜選択して適切な方向に尻尾穴の寸法を拡大できる。縦切り込み部７２２は、穴本体部７１の外端縁である頂点７１１と離間し、穴本体部７１の外端縁である頂点７１１よりも縦方向Ｚの外側に位置してよい。
【００４２】
縦切り込み部７２２と穴本体部７１との間隔Ｇ７２２は、横切り込み部７２１と穴本体部７１との間隔Ｇ７２１よりも長くてよい。縦切り込み部７２２と穴本体部７１との間隔Ｇ７２２が比較的長く、横切り込み部７２１と穴本体部７１との間隔Ｇ７２１が比較的短いため、穴本体部７１の寸法を拡大しようとして穴本体部７１から本体部２を引き裂こうとすると、縦切り込み部７２２よりも横切り込み部７２１に到達し易い。よって、縦切り込み部７２２によって尻尾穴７０の寸法を縦方向に拡大するよりも、横切り込み部７２１によって尻尾穴７０の寸法を横方向Ｗに拡大し易くなる。
【００４３】
縦切り込み部７２２と基端縁７１２との間隔Ｇ７３２は、横切り込み部７２１と基端縁７１２との間隔Ｇ７３１よりも長くてよい。円弧形状の穴本体部７１にあっては、穴本体部７１に尻尾を挿入したり、穴本体部７１内で尻尾が動いたりすると、基端縁７１２に力がかかり易い。横切り込み部７２１が基端縁７１２に対して比較的近く、縦切り込み部７２２が基端縁７１２に対して比較的遠いため、穴本体部７１の基端縁７１２に力が掛かかって基端縁７１２から本体部２が引き裂かれた際に、縦切り込み部７２２よりも横切り込み部７２１に引き裂かれた部分が到達し易い。よって、縦切り込み部７２２によって尻尾穴７０の寸法を縦方向に拡大するよりも、横切り込み部７２１によって尻尾穴７０の寸法を横方向Ｗに拡大し易くなる。
【００４４】
横切り込み部７２１は、基端縁７１２から横方向Ｗに延びる横延長線ＬＷ７１２上に配置され、縦切り込み部７２２は、基端縁７１２から縦方向Ｚに延びる縦延長線ＬＺ７１２上からずれた位置に配置されてよい。横延長線ＬＷ７１２及び縦延長線ＬＺ７１２を図６において示す。横切り込み部７２１の横方向Ｗの内側縁は、横切り込み部７２１の横方向Ｗの外側縁よりも縦方向Ｚの内側に位置し、横延長線ＬＷ７１２上に配置されている。縦切り込み部７２２の横方向Ｗの内側縁は、縦切り込み部７２２の横方向Ｗの外側縁よりも縦方向Ｚの内側に位置している。縦切り込み部７２２の横方向Ｗの内側縁及び外側縁は、いずれも縦延長線ＬＺ７１２よりも横方向Ｗの内側に配置されている。基端縁７１２に掛かった力は、シートの繊維の配向や各部材が延びる方向である横方向Ｗ及び縦方向Ｚに伝達し易い。基端縁７１２から横方向Ｗに延びる横延長線ＬＷ７１２上に横切り込み部７２１が配置されており、基端縁７１２から縦方向Ｚに延びる縦延長線ＬＺ７１２上に縦切り込み部７２２が配置されていないため、穴本体部７１の基端縁７１２に力が掛かかって基端縁７１２から本体部２が引き裂かれた際に、縦切り込み部７２２よりも横切り込み部７２１に引き裂かれた部分が到達し易い。よって、縦切り込み部７２２によって尻尾穴７０の寸法を縦方向に拡大するよりも、横切り込み部７２１によって尻尾穴７０の寸法を横方向Ｗに拡大し易くなる。
【００４５】
縦切り込み部７２２と穴本体部７１との縦方向Ｚの距離Ｇ７４２は、縦切り込み部７２２の長さＬ７２２よりも長くてよい。一般的に、切り込み部７２の長さが長い程、切り込み部７２から周囲に引き裂かれ易く、切り込み部７２の長さが短い程、切り込み部７２から周囲に引き裂かれ難い。また、切り込み部７２と穴本体部７１との間隔が短い程、穴本体部７１から切り込み部７２に引き裂かれ易く、切り込み部７２と穴本体部７１との間隔が長い程、穴本体部７１から切り込み部７２に引き裂かれ難い。縦切り込み部７２２と穴本体部７１との縦方向Ｚの距離Ｇ７４２が縦切り込み部の長さＬ７２２よりも長いため、縦切り込み部から縦方向に沿って引き裂かれ難く、縦切り込み部を介して縦方向の寸法が大きくなることを抑制できる。
【００４６】
表面シート１０及び裏面シート２０の少なくとも一方のシートの縦方向Ｚに沿う引張強度は、一方のシートの横方向Ｗに沿う引張強度よりも高くてよい。穴本体部７１は、表面シート１０及び裏面シート２０が切断された部分である。表面シート１０と裏面シート２０の少なくともいずれか一方における縦方向Ｚに沿う引張強度が高いため、尻尾穴の開口が縦方向Ｚに広がり難い。よって、尻尾穴の開口が縦方向Ｚに広がることに起因して、おむつが縦方向Ｚにずれることを抑制できる。
【００４７】
シートの引張強度は、以下の方法によって測定できる。（１）引張試験機を準備し、チャック間距離：４０ｍｍ、及びチャック引張速度：１００ｍｍ／ｍｉｎにセットする。（２）試料を、１００ｍｍ×２５ｍｍ（縦方向×横方向）にカットする。（３）試料の縦方向の一方の端部を、引張試験機の上部チャックに、深さ約１０ｍｍがチャックに挟まれるようにセットする。（４）同様に、試料の縦方向の他方の端部を、引張試験機の下部チャックに、深さ約１０ｍｍがチャックに挟まれるようにセットする。（５）チャック引張速度１００ｍｍ／ｍｉｎで、引張試験をスタートし、試料が破断するまで引張試験を実施する。（６）変位１５０ｍｍの間の引張強度の最大値を記録する。（７）上記操作をさらに４回繰返し、計５回の引張強度の最大値の平均値を算出する。上記引張試験機としては、例えば、（株）島津製作所製のオートグラフ型引張試験機形式ＡＧ−１ＫＮＩが挙げられる。
【００４８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００４９】
着用時にずれ難い猫用おむつを提供することができる。
【符号の説明】
【００５０】
１    ：猫用おむつ、２  ：本体部、１０  ：表面シート、２０  ：裏面シート、３０  ：吸収コア、７０、７０Ｘ  ：尻尾穴、７１  ：穴本体部、７１１  ：頂点、７１２          ：基端縁、７１３  ：立ち上がり部、７２  ：切り込み部、７２１  ：横切り込み部、７２２  ：縦切り込み部、９０  ：ファスニングテープ、Ｗ  ：横方向、Ｚ  ：縦方向、Ｒ１１          ：横側領域、Ｒ１２          ：縦側領域
【図１】
0006906040.tif 000002
【図２】
0006906040.tif 000003
【図３】
0006906040.tif 000004
【図４】
0006906040.tif 000005
【図５】
0006906040.tif 000006
【図６】
0006906040.tif 000007
【図７】
0006906040.tif 000008
【図８】
0006906040.tif 000009